(57)【要約】【課題】データ表示機能を備えたフラッシュメモリー記憶装置を提供する。【解決手段】フラッシュメモリー記憶装置は、コントローラーを設けてなり、該コントローラーはコレステリック液晶及びフラッシュメモリーを接続すると共に、フラッシュメモリーと疎通可能な伝送インターフェイスを設けてなり、伝送インターフェイスを通して主端末と接続する時、該主端末内に設けてある実行プログラムは、使用者の命令及びフラッシュメモリー自身に設定された実行プログラムによる命令を読み取ると共に、伝送インターフェイスを通して記憶装置の現在の情報を読み取り、伝送インターフェイスを通し、記憶装置が設けるコレステリック液晶へ情報を伝達表示し、これにより使用者は、記憶装置を再度使用する前に記憶装置を最終使用時の情報を得ることができ、便利に使用することが可能である。【選択図】図１
2007115104.tif 000002
【特許請求の範囲】
【請求項１】
コントローラー、コレステリック液晶及びフラッシュメモリーを設けてなり、
前記コントローラーはフラッシュメモリーと通信可能なフラッシュメモリーインターフェイスを設けてなり、
前記コレステリック液晶はコントローラーと接続すると共に、コントローラーが伝送する情報を表示可能であり、
前記フラッシュメモリーはコントローラーと接続し、読み取り可能なフラッシュメモリー情報の実行プログラムを保存してなることを特徴とした、フラッシュメモリー記憶装置。
【請求項２】
前記実行プログラムは、自動実行及び主端末による命令に従い、フラッシュメモリーの情報を読み取ることを特徴とした、請求項１に記載のフラッシュメモリー記憶装置。
【請求項３】
前記記憶装置は、伝送インターフェイスを通して主端末に接続可能であること特徴とした、請求項１に記載のフラッシュメモリー記憶装置。
【請求項４】
コントローラーを設けてなり、該コントローラーはコレステリック液晶及びフラッシュメモリーを接続すると共に、フラッシュメモリーと通信可能な伝送インターフェイスを設けてなり、伝送インターフェイスを通して主端末と接続する時、該主端末内に設けてある実行プログラムは、使用者の命令及びフラッシュメモリー自身に設定された実行プログラムによる命令を読み取ると共に、伝送インターフェイスを通して記憶装置の現在の情報を読み取り、伝送インターフェイスを通し、記憶装置に設けられるコレステリック液晶へ情報を伝達表示することを特徴とした請求項１に記載のフラッシュメモリー記憶装置。
【発明の詳細な説明】
【技術分野】
【０００１】
本発明は、コレステリック液晶にてフラッシュメモリーの情報を表示するデータ表示機能を備えたフラッシュメモリー記憶装置に関する。
【背景技術】
【０００２】
電子技術の日進月歩に伴い、電子機器製品は既に広範囲に亘って人々に使用され、例を挙げれば、パソコン、携帯電話、メモリースティック、デジタルカメラ等であり、これらの機器の機能は日ごとに増大し、人々に異なった生活様式をもたらしており、且つ、この種の電子機器製品は、皆記憶装置にてデータを保存することを必要とし、フラッシュメモリーは登場以来、低消耗不揮発性、耐震性、高密度記憶等、魅力的な特性を持ち、多くの携帯式電子機器において、徐々にＥＥＰＲＯＭ及びＳＲＡＭに取って代わりつつあり、更に現在、半導体技術が日々向上し、フラッシュメモリーの記憶密度と伝送速度は飛躍的な成長を遂げ、よってフラッシュメモリーは、多くの応用分野でＨＤＤ等の伝統的記憶装置に取って代わることができるのである。
【０００３】
現在、大部分の人が同時に多くのフラッシュメモリーを利用した電子機器製品を保持しており、且つ、それらの電子機器製品は皆、記憶機能を備え、使用者はこれらの電子機器製品へデータを保存する時に、機器の電源を投入して初めて記憶容量および空き容量を知ることが可能になり、これは、利便性に欠け、不要な電源のＯＮ／ＯＦＦ(入り切り）による使用寿命の低下及びエネルギー消費を発生させ、更に、新製品が出荷された場合には、消費者等はよく期せずして同じ製品を購入し、使用者が同じ製品を持つ人に遭遇し、誤って他人の製品を持ち去ってしまうという状況をしばしば発生させている。
【０００４】
更に、フラッシュメモリーを利用して製造されるメモリースティックは、絶え間ない研究と改良の後、既にマルチメディアの電子機器としてなり、便利にデータを保存及び携帯できるだけでなく、ＭＰ３形式の音楽を再生でき、その保存容量はそれぞれ異なり、中には百曲以上の音楽ファイルを保存可能なメモリースティックもあり、使用者はいつでもどこでも音楽を聞くことが可能であるが、但し現在、音楽再生の可能なメモリースティックは、再生方式がＣＤの再生方式に類似し、メモリースティックの電源投入後に、直ちに一曲目の音楽が再生され、使用者は前回中断した続きから音楽を聴きたいと思う時に、記憶力に頼り探すか、中断した位置をメモして次回再生時に使用するよりなく、非常に不便である。
【０００５】
又、現在、液晶画面は既に幅広く使用され、科学技術の絶え間なる進歩の下、一歩進んでコレステリック液晶（Cholesteric Liquid Crystal）(特許文献１)が発展しだし、コレステリック液晶には、記憶性、広視覚、不揮発性等の長所があり、従来の液晶に比較しその電力消費は５０分の１以下であり、コレステリック液晶にて画像を表示中、液晶模様の変更時に限り電力消耗を必要とし、画像が静止状態にある時は電力を必要とせず、よってコレステリック液晶の電源を切断後も最後に表示した画像の表示を持続することができるのである。
【特許文献１】特開２００５−２０８３４４号公報
【発明の開示】
【発明が解決しようとする課題】
【０００６】
本発明では、実行プログラムを利用し記憶装置の情報を取得すると共に、記憶装置が設けるコレステリック液晶に伝送表示し、使用者が記憶装置を再度使用する前に、記憶装置の最終使用時の情報を得ることができ、便利に使用できるようにすることを目的とする。
【０００７】
本発明では、実行プログラムを利用し記憶装置のコレステリック液晶の表示情報を絶え間なく更新し、使用者が使用時に記憶装置のフラッシュメモリーの容量変化を詳細に知ることができるようにすることを目的とする。
【課題を解決するための手段】
【０００８】
上述の目的を達成するため、請求項１の発明は、コントローラー、コレステリック液晶（Cholesteric Liquid Crystal）及びフラッシュメモリーを設けてなり、前記コントローラーはフラッシュメモリーと通信(疎通)可能なフラッシュメモリーインターフェイスを設けてなり、前記コレステリック液晶はコントローラーと接続すると共に、コントローラーが伝送する情報を表示可能であり、前記フラッシュメモリーはコントローラーと接続し、読み取り可能なフラッシュメモリー情報の実行プログラムを保存してなることを特徴とした、フラッシュメモリー記憶装置である。
請求項２の発明は、前記実行プログラムは、自動実行及び主端末による命令に従い、フラッシュメモリーの情報を読み取ることを特徴とした、請求項１に記載のフラッシュメモリー記憶装置である。
請求項３の発明は、前記記憶装置は、伝送インターフェイスを通して主端末に接続可能であること特徴とした、請求項１に記載のフラッシュメモリー記憶装置である。
請求項４の発明は、コントローラーを設けてなり、該コントローラーはコレステリック液晶及びフラッシュメモリーを接続すると共に、フラッシュメモリーと通信(疎通)可能な伝送インターフェイスを設けてなり、伝送インターフェイスを通して主端末と接続する時、該主端末内に設けてある実行プログラムは、使用者の命令及びフラッシュメモリー自身に設定された実行プログラムによる命令を読み取ると共に、伝送インターフェイスを通して記憶装置の現在の情報を読み取り、伝送インターフェイスを通し、記憶装置に設けられるコレステリック液晶へ情報を伝達表示することを特徴とした請求項１に記載のフラッシュメモリー記憶装置である。
【０００９】
すなわち、本発明の記憶装置は、特徴として、コントローラーを設けてなり、該コントローラーはコレステリック液晶及びフラッシュメモリーを接続すると共に、フラッシュメモリーと疎通可能な伝送インターフェイスを設けてなり、伝送インターフェイスを通して主端末と接続する時、該主端末内に設けてある実行プログラムは、使用者の命令及びフラッシュメモリー自身に設定された実行プログラムによる命令を読み取ると共に、伝送インターフェイスを通して記憶装置の現在の情報を読み取り、伝送インターフェイスを通し、記憶装置に設けられているコレステリック液晶へ情報を伝達表示する。
【発明の効果】
【００１０】
本発明のデータ表示機能を備えたフラッシュメモリー記憶装置は、以下のように公知技術の問題を改善している。
１．本発明は実行プログラムを利用しフラッシュメモリーの情報を読み取ると共に、記憶装置に設けられているコレステリック液晶へ表示し、コレステリック液晶は電源を切断した後も、その最終画面の表示を持続することができ、使用者が記憶装置を再度使用する前に、最終使用時の情報を得ることができ、便利に使用することが可能である。
２．本発明は実行プログラムを利用しコレステリック液晶の表示情報を絶え間なく更新し、使用者が使用時にフラッシュメモリーの容量変化を詳細に知ることができるようにし、更にコレステリック液晶が必要とする電力は従来の液晶の５０分の１以下であり、エネルギー消耗も減少させることができ、使用コストを低下させることができる。
３.本発明は実行プログラムを利用し使用者が予め必要なデータを入力したものをコレステリック液晶上へ表示し、コレステリック液晶は記憶装置の内蔵のラベルとなり、使用者が該記憶装置の使用者が誰であるかを明確に判別でき、誤って他人の記憶装置を持ち去ってしまうという状況の発生を防ぎ、更に記憶装置が待ち受け状態の時、コレステリック液晶上に画像及び動画を表示させ、使用者に待ち受け状態であることを通知すると共に、消費者の購買意欲を増大させることができる。
【発明を実施するための最良の形態】
【００１１】
上述の目的及び効果を達成する為、本発明の技術的手段及び構造は、以下、図に示す実施例に従い、その特徴とする作用・効果の詳細を説明する。
本発明の実施例１は、工程図である図１に示すように、記憶装置１がコントローラー１１、コレステリック液晶（Cholesteric Liquid Crystal）１２及びフラッシュメモリー１３を備えている。
【００１２】
前記コントローラー１１は、フラッシュメモリー１３と通信(疎通)可能なフラッシュメモリーインターフェイス１１１を設けてなり、記憶装置１は伝送インターフェイス３（例：ＵＳＢ、ＰＣＩ、ＩＤＥ）を主端末２へ接続した時、該主端末２はコントローラー１１が設置するフラッシュメモリーインターフェイスにより、フラッシュメモリーに対しデータの読み書きを実行することが可能である。
【００１３】
前記コレステリック液晶１２は、コントローラー１１と接続し、フラッシュメモリー１３の情報を表示することが可能である。
【００１４】
前記フラッシュメモリー１３は、コントローラー１１と接続し、コレステリック液晶にて表示するデータを保存することが可能である。
【００１５】
前記記憶装置１は、伝送インターフェイス３を通して主端末２へ接続時、該記憶装置は主端末２に対し、記憶装置自身の自動再生機能により主端末２にフラッシュメモリー１３が保存する実行プログラムの自動実行を宣告し、実行プログラム１３１は、データの命令情報を読み取り、又記憶装置１の現在の状態（分割表等）を読み込み、実行プログラム１３１は、フラッシュメモリー１３よりラベル情報（Label）、総容量、使用容量、及び最終使用日時を取得する。
この状態をコレステリック液晶１２を通して表示し、使用者が現在の記憶装置１の状態を詳細に知ることができるようにすると共に、コレステリック液晶１２は、電源を切断した後も、画面の最終状態表示を持続可能であり、よって、使用者が再度記憶装置を使用する前に、記憶装置を最後に使用した日時、ラベル、総容量、使用容量の情報を取得することが可能で、使用者がより便利に使用できるようにした。
したがって、使用者がフラッシュメモリー１３を利用してＭＰ３の音楽を再生時、コレステリック液晶は、実行プログラム１３１を通して情報を取得し、再生曲の情報を表示し、利用者が次回再生する時に、容易に検索できるようにすると共に、その表示情報により、使用者は記憶装置１が他人に使用された経緯がないかを知ることができる。
【００１６】
更に、使用者はこの記憶装置１を使用時、該記憶装置１のフラッシュメモリー１３の容量は使用者の使用に従い変化し、この時、実行プログラム１３１を通してコレステリック液晶１２の表示情報の更新を持続し、使用者に記憶装置１のフラッシュメモリー１３の容量変化について詳細な理解を与えることができ、コレステリック液晶１２が必要とする電力は従来の５０分の１以下であり、よって、コレステリック液晶１２は電力の消耗を減少させ、使用コストを低下させることが可能である。
【００１７】
また、前記実行プログラム１３１の実行方程式では、使用者が必要なデータ（例：使用者氏名、図形、文字等）を書き込むと共にコレステリック液晶１２上へ表示することが可能であり、コレステリック液晶１２は記憶装置１の内蔵のラベルとなり、周囲の人が同じ記憶装置１を持っている時に、記憶装置１の使用者が誰であるかを明確に判別できるようにし、誤って他人の記憶装置１を持ち去ってしまうという状況の発生を防ぎ、実行プログラム１３１は設計者及び使用者が画像及び動画を書き込むことを可能とし、記憶装置１が待ち受け状態（スリープ状態）の時に、画像及び動画をコレステリック液晶１２上へ表示し、使用者に待ち受け状態であることを通知すると共に、消費者の購買意欲を増大させることができる。
【００１８】
そして、この記憶装置１の用途としては、メモリースティック及びＭＰ３プレイヤーとしてなることが可能である。
【００１９】
本発明のもう一つの実施例２である記憶装置１は、図２に示すように、コントローラー１１を設けてなり、該コントローラー１１はコレステリック液晶１２及びフラッシュメモリー１３を接続し、更に該コントローラー１１はフラッシュメモリー１３と疎通可能なフラッシュメモリーインターフェイス１１１を設けてなり、記憶装置１は伝送インターフェイス３と通して主端末２と接続し、該主端末２内には実行プログラム２１を設けてなる。
【００２０】
使用者が記憶装置１を使用時に、主端末２内の前記実行プログラム２１は使用者の操作命令及び実行プログラム自身の設定による命令により、伝送インターフェイス３を通して記憶装置１の現在の状態（分割表等）を読み込み、前記実行プログラム２１により記憶装置１に設定されるフラッシュメモリー１３のラベル情報、装備容量、使用容量及び最終使用日時を取得することを可能とし、その状態を伝送インターフェイス３を通して記憶装置１のコレステリック液晶１２に表示し、その結果、使用者は現在の記憶装置１の状態を詳細に知ることができる。
更に、コレステリック液晶１２は電源を切った後も、最終画面の表示を持続することができ、よって使用者が記憶装置１を使用しない時に、コレステリック液晶１２の最終画面を表示し、使用者が再度使用する前に、記憶装置１の最終使用日時、ラベル、総容量、使用容量等の情報を得ることができ、使用者が便利に利用でき、表示情報により他人に使用された経緯がないかを確認することが可能である。
【００２１】
更に、使用者は、この記憶装置１を使用時に、前記記憶装置１のフラッシュメモリー１３の容量は使用者の使用に従い変化し、この時、主端末２に設けられている実行プログラム２１を通してコレステリック液晶１２の表示情報の更新を持続し、使用者に記憶装置１のフラッシュメモリー１３の容量変化について詳細な理解を与えることができ、コレステリック液晶１２が必要とする電力は従来の５０分の１以下であり、よってコレステリック液晶１２は電力の消耗を減少させ、使用コストを低下させることが可能である。
【００２２】
前記伝送インターフェイス３としては、ＵＳＢ、ＰＣＩ、及び、ＩＤＥよりなることが可能であり、フラッシュメモリー１３はＮＯＲフラッシュメモリー、ＮＡＮＤフラッシュメモリー、ＤＩＮＯＲフラッシュメモリー及びＡＮＤフラッシュメモリーよりなることが可能である。
【００２３】
該主端末２はパソコン及びＰＤＡ（PERSONAL DIGITAL ASSISTANT）によりなることが可能であり、該記憶装置１はメモリースティック及びＭＰ３プレイヤーとして構成し使用することが可能である。
【００２４】
以上のように、実施例のデータ表示機能を備えたフラッシュメモリー記憶装置は、(１)実行プログラムを利用しフラッシュメモリーの情報を読み取ると共に、記憶装置が設けるコレステリック液晶へ表示し、コレステリック液晶は電源を切断後もその最終画面の表示を持続することができ、使用者が記憶装置を再度使用する前に、最終使用時の情報を得ることができ、便利に使用することができる。また、(２)実行プログラムを利用しコレステリック液晶の表示情報を絶え間なく更新し、使用者が使用時にフラッシュメモリーの容量変化を詳細に知ることができるようにし、更にコレステリック液晶が必要とする電力は従来の液晶の５０分の１以下であり、エネルギー消耗も減少させることができ、使用コストを低下させることができる。さらに、(３)実行プログラムを利用し使用者が予め必要なデータを入力したものをコレステリック液晶上へ表示し、コレステリック液晶は記憶装置の内蔵のラベルとなり、使用者が該記憶装置の使用者が誰であるかを明確に判別でき、誤って他人の記憶装置を持ち去ってしまうという状況の発生を防ぎ、更に記憶装置が待ち受け状態の時、コレステリック液晶上に画像及び動画を表示させ、使用者に待ち受け状態であることを通知すると共に、消費者の購買意欲を増大させることができる。
【００２５】
本発明での好ましい実施例を前述の通り開示したが、これらは決して本発明に限定するものではなく、当該技術を熟知する者なら誰でも、本発明の精神と領域を脱しない範囲内で各種の変動や潤色を加えることができることは勿論である。
【図面の簡単な説明】
【００２６】
【図１】本発明の実施例１の工程図である。
【図２】本発明の実施例２の工程図である。
【符号の説明】
【００２７】
１ 記憶装置
１１ コントローラー
１１１ フラッシュメモリーインターフェイス
１２ コレステリック液晶
１３ フラッシュメモリー
１３１ 実行プログラム
２ 主端末
２１ 実行プログラム
３ 伝送インターフェイス
【図１】
2007115104.tif 000003
【図２】
2007115104.tif 000004